(57)【要約】【課題】  開口を繰り返し開閉し密封することができ、また袋の中の空気を抜くことにより、袋の体積を低減し、且つ袋の中の物品が水気を受けて変質する現象を防止する防湿の密封袋を提供する。【解決手段】  防湿の密封袋は主に、袋１及び排気弁から組成される。袋１には開口端１１がある。開口端１１にはポリアミド製ファスナー１１１が設けられる。袋１のポリアミド製ファスナー１１１の下のエッジにおける選定箇所には排気弁を設ける。排気弁は袋１の内部に隠れるように配置され、弁の本体、排気ユニット２２、弁扉の薄片、弾性ユニットなどの要素から形成される。そのような組成によれば、ポリアミド製ファスナー１１１によって簡易に袋１の開口を密封できるばかりでなく、排気弁で袋１の中の残留空気を排出することができる。そうすると、防湿、密封の効果を遂げて、袋１の中に収納される物品を保存することができる。【選択図】  図１
0003113972.tif 000002
【実用新案登録請求の範囲】
【請求項１】
袋と、排気弁とを備える防湿の密封袋において、
袋は袋状体であり、袋に開口端があり、開口端の選定の所定箇所にシングルラインタイプ又はダブルラインタイプのポリアミド製ファスナーが設けられ、袋のポリアミド製ファスナーの下のエッジにおける選定の位置に排気弁が設置され、
排気弁は弁の本体と、排気ユニットと、弁扉の薄片と、弾性ユニットとを有し、弁の本体の端末に結合面があり、結合面に収容室が凹むように設置され、収容室の底部に弁の本体の別面まで貫通する第一排気孔が設けられ、排気ユニットは弁の本体の収容室に埋め込まれ、突出環の端末を覆い、排気ユニットの選定位置に複数の第二排気孔が設置されて第一排気孔と通気可能であり、弁扉の薄片は弁の本体の突出環の中に設置され、昇降可能な状態となり、第一排気孔の上端開口を覆い、弾性ユニットは排気ユニットと弁扉の薄片との間に設置され、弾性ユニットの弾性張力によって持続して緊密に第一排気孔の上端開口周囲を貼り覆い、組成された結合面で袋の内面における排気弁に貼り合わされ、
排気弁の結合面を袋の内面に粘着させ、ポリアミド製ファスナーで袋の開口を密封し、排気弁で袋の中の残留空気を真空状態程度になるまで排出することにより、袋の中の物品を保存し、水気を受けることを防止し、変質を防止し、袋の体積を有効的に低減することを特徴とする防湿の密封袋。
【請求項２】
袋は袋状体であり、ポリアミドやポリエステルやＰＥ材やアルミニウムフイルムや紙材の単層又は複合層から作られることを特徴とする請求項１記載の防湿の密封袋。
【請求項３】
弁の本体はプラスチックであり、一体に成形される円形盤や矩形盤や他の形状の盤を構成することを特徴とする請求項１記載の防湿の密封袋。
【請求項４】
排気弁の弁の本体は外周囲に環壁の∩状円形カバーが設置され、環壁の内面にロック溝があり、ロックリングを嵌め込むことにより、排気ユニット及び突出環が締め付けられて連結されることを特徴とする請求項１記載の防湿の密封袋。
【請求項５】
排気弁の排気ユニットのインナートップに位置決めリングがあり、弾性ユニットには螺旋状のスプリングが採用され、そのスプリングが位置決めリングにはめられ、弾性ユニットの両端がそれぞれ排気ユニットと弁扉の薄片とを押すことを特徴とする請求項１記載の防湿の密封袋。
【請求項６】
突出環の内環面に複数の肋薄片が設置され、各肋薄片の間にエアの案内パスが形成され、複数の肋薄片の制限により弁扉の薄片が昇降可能な状態となることを特徴とする請求項１記載の防湿の密封袋。
【請求項７】
第一排気孔の底端に間隔板があり、間隔板に複数の細い孔が配置され、間隔板の周囲における弁の本体の表面に複数の凸肋が設置されることを特徴とする請求項１記載の防湿の密封袋。
【考案の詳細な説明】
【技術分野】
【０００１】
本考案は防湿の密封袋に関するものであり、特に、物品を収納し、防湿、密封の効果を達成する袋に関する。
【背景技術】
【０００２】
従来から、既知の袋には物品を収納し、収納する物品としては例えば、食品、食用材料、犬の糧食、化学原料、プラスチック原料などが挙げられる。袋を開封すると、開口を確実に密封しにくいし、袋内に空気が残留するので、大変困る。袋内の物品の気味が外へリークし、周囲の空気の品質に影響するとともに、袋内の物品が残留空気の水気のせいでいつも変質してしまうという現象を招く。
【０００３】
よく見られる排気弁の構造では通常、弁の本体を上下二つの弁に分ける。下の弁を袋の内面に貼り合わせ、上の弁を袋の外面に結合させ、上下の弁が袋を挟んで締め付ける。そのような設計はパーツが多過ぎ、構造が複雑過ぎ、コストに影響を及ぼす。また、構造の制限により、排気弁を袋に結ぶ場合に上の弁は袋の外に露出されるので、袋を折り畳んだあとの体積に影響し、衝撃、当たり、磨耗の問題も出てくる。
【考案の開示】
【考案が解決しようとする課題】
【０００４】
本考案の主な目的は、物品を収納する場合に非常に利便に開口を繰り返し開閉し、密封することができ、また、一般の既知の塵の吸入装置を応用し、排気弁を経由して袋の中の残留空気を真空状態程度になるまで抜くことにより、袋の体積を低減するとともに、袋の中の物品が水気を受けて変質する現象を避ける防湿の密封袋を提供することにある。
本考案のもう一つの目的は、排気弁が袋の中に隠されるので、袋の外観は整然と見え、いずれの凸体もなく、袋を折り畳んで収納するときに体積を有効的に低減するばかりでなく、衝撃、当たり、磨耗を避ける防湿の密封袋を提供することにある。
本考案のもう一つの目的は、封を切っても依然として有効的に開口を密閉することができ、貯蔵の物品の気味が袋の外へ拡散せず、周囲の空気の品質に悪い影響を及ぼさない防湿の密封袋を提供することにある。
【課題を解決するための手段】
【０００５】
上述の課題を解決するために、本考案の防湿の密封袋は主に、袋及び排気弁から組成される。袋には開口端がある。開口端にはポリアミド製ファスナーが設けられる。袋のポリアミド製ファスナーの下のエッジにおける選定箇所には排気弁を設ける。排気弁は袋の内部に隠れるように配置され、弁の本体、排気ユニット、弁扉の薄片、弾性ユニットなどの要素から形成される。そのような組成によれば、ポリアミド製ファスナーによって簡易に袋の開口を密封できるばかりでなく、排気弁で袋の中の残留空気を排出することができる。そうすると、防湿、密封の効果を遂げて、袋の中に収納される物品を保存することができる。
【考案を実施するための最良の形態】
【０００６】
本考案の目的、特徴および効果などの理解のために、以下、さらに具体的な実施例を図面とあわせて詳しく説明する。
まずは図１を御覧下さい。本考案の一実施例による防湿密封袋は袋１、排気弁２から組成される。
袋１は袋状体であり、ポリアミドやポリエステルやＰＥ材やアルミニウムフイルムや紙材の単層又は複合層から作られる。袋１に、開口端１１がある。開口端１１の選定の適当な箇所にシングルラインタイプ又はダブルラインタイプのポリアミド製ファスナー１１１を設ける。袋１のポリアミド製ファスナー１１１の下のエッジにおける選定の位置に排気弁２を設置する。
【０００７】
排気弁２は弁の本体２１、排気ユニット２２、弁の扉の薄片２３及び弾性ユニット２４などの要素から形成される。
図２から図４を御覧下さい。弁の本体２１はプラスチックであり、一体に成形される円形盤や矩形盤や他の形状の盤を構成する。その端末に平面状の結合面２１１がある。結合面２１１の真中に収容室２１２が凹むように設置される。収容室２１２の底部に中空状の突出環２１３を垂直に設ける。突出環２１３の内面にいくつかの肋薄片２１４を設置する。各肋薄片２１４の間にエアの案内パス２１５が形成される。また、突出環２１３の内底部に弁の本体２１の別面まで貫通する第一排気孔２１６を設ける。そして、結合面２１１が袋１の内面の弁の本体２１を貼り覆う。第一排気孔２１６の底端に間隔板２１７がある。間隔板２１７に複数の細い孔２１８が配置されるので、袋１の内容物が通過することが防止される。間隔板２１７の周囲における弁の本体２１の表面にいくつかの凸肋２１９が設置され、細い孔２１８が袋に塞がれることを防止し、排気の効果を向上させる。突出環２１３の外周にロックリング２１３１が配置され、次に述べるような排気ユニット２２に連結される。
【０００８】
排気ユニット２２は図２、図５に示すように、プラスチックであり、一体に成形され、前述の突出環２１３の形状に対応する。具体的には周囲に、環壁２２１の∩状円形カバーが配置される。それは弁の本体２１の収容室２１２に埋め込まれ、しかも、突出環２１３の端末を覆う。排気ユニット２２の端末の選定位置に複数の第二排気孔２２２が設置されて、前述の第一排気孔２１６と通気できる。インナートップに位置決めリング２２３が設置されるので、次に述べるような弾性ユニット２４を取り付ける。前述の環壁２２１にロック溝２２１１があるので、前述のロックリング２１３１を嵌め込む。それにより、排気ユニット２２と突出環２１３を締め付けて連結する。
【０００９】
弁扉の薄片２３は図４、図６に示すように、プラスチック、ゴム又は他の材質から作られる軟らかい薄片であり、水平に弁の本体２１の突出環２１３の中に設置される。いくつかの肋薄片２１４に制限され、昇降できる状態となる。それにより、突出環２１３の内底部における第一排気孔２１６の上端開口を覆う。
弾性ユニット２４には図４、図６に示すように、螺旋状のスプリングを採用してもよい。それを排気ユニット２２の位置決めリング２２３の外壁環にはめて、両端がそれぞれ排気ユニット２２及び弁扉の薄片２３に押すようにする。そして、弾性ユニット２４の弾性張力によって、弁扉の薄片は持続して緊密に第一排気孔２１６の上端開口周囲を貼り覆う。
【００１０】
本実施例の排気弁２は結合面２１１で袋１の内面に粘着し、袋１の中に隠される。つまり、袋１の外から見ると、ただ、排気ユニット２２の上縁面が見られ、弁の本体２１などのコンポーネントが袋１の中に隠される（図６を参照）。密封の状態の袋１から、袋１の残留空気を袋の外へ排出する。
本実施例の防湿の密封袋の使用方法は次のとおりである。はじめに、物品を入れたあとで、袋１のポリアミド製ファスナー１１１を閉めるとともに、ポリアミド製ファスナー１１１の上方の開口を粘着させるなど密閉処置を採用してもよい。図１１に示すように、ユーザが封を切ったあとでも、袋１のポリアミド製ファスナー１１１によって、簡易かつ有効的に開口を密封でき、袋の内部の物品の気味をリークする恐れがない。勿論、繰り返し開口を開閉すると、袋１の中にいつも残留空気がある。残留空気の水気のせいで、袋１の中の物品が水気を受けて、変質する恐れがある。そのときに、簡易に袋１を圧縮すると、内部の余計な空気が第一排気孔２１６を経由し、弁扉の薄片２３を上げるように押す（図７を御参照）。それにより、空気をエアの案内パス２１５と排気ユニット２２の第二排気孔２２２から袋の外へ排出することができる。又は、吸気装置（塵の吸入装置などが挙げられる。）の吸気パイプ３０を弁の本体１の収容室２１２に接続する（図８を御参照）。吸気の力で、弁扉の薄片２３が上がり、開けられる。さらに、袋１の中の余計な空気を抜く。袋１の中が真空状態になるので、袋の中の物品を保存し、水気を受けて変質することを防ぐとともに、袋１の体積を有効的に低減することができる。
【図面の簡単な説明】
【００１１】
【図１】本考案の実施例による防湿の密封袋を示す立体図である。
【図２】本考案の実施例による排気弁を示す立体図である。
【図３】本考案の実施例による排気弁を示す立体図である。
【図４】本考案の実施例による排気弁を示す立体分解図である。
【図５】本考案の実施例による排気弁の排気ユニットを示す立体図である。
【図６】本考案の実施例による排気弁と袋との結合状態を示す断面図である。
【図７】本考案の実施例による防湿の密封袋の排気状態を示す模式図である。
【図８】本考案の実施例による防湿の密封袋が吸気装置に合わせて排気を行う状態を示す模式図である。
【図９】本考案の実施例による防湿の密封袋を示す模式図である。
【図１０】本考案の実施例による防湿の密封袋を示す模式図である。
【図１１】本考案の実施例による防湿の密封袋を初めて封を切る状態を示す模式図である。
【符号の説明】
【００１２】
１  袋、２  排気弁、１１  開口端、２１  弁の本体、２２  排気ユニット、２３  弁扉の薄片、２４  弾性ユニット、３０  吸気管、１１１  ポリアミド製ファスナー、２１１  結合面、２１２  収容室、２１３  突出環、２１４  肋の薄片、２１５  エアの案内パス、２１６  第一排気孔、２１７  間隔板、２１８  細い孔、２１９  凸肋、２２１  環壁、２２２  第二排気孔、２２３  位置決めリング、２２１１  ロック溝、２１３１  ロックリング
【図１】
0003113972.tif 000003
【図２】
0003113972.tif 000004
【図３】
0003113972.tif 000005
【図４】
0003113972.tif 000006
【図５】
0003113972.tif 000007
【図６】
0003113972.tif 000008
【図７】
0003113972.tif 000009
【図８】
0003113972.tif 000010
【図９】
0003113972.tif 000011
【図１０】
0003113972.tif 000012
【図１１】
0003113972.tif 000013